(57)【要約】【課題】表札板の取付けが簡単で、後日の表札板の交換の自由度も高い表札を提供する。【解決手段】表札１をなす表札板１２の支持体１１が、表札板１２を３方から囲んで支持する支持枠であって、表札板１２の上辺１２１に沿って延びる第１の枠部材１１１ａに設けられたスリット１１１ｅから差し込まれた表札板１２を支持する支持枠１１１と、第１の枠部材１１１ａの枠外側に第２の枠部材１１１ｂへと向かって上辺１２１に沿ったスライド方向にスライドして被せられるカバー１１２と、カバー１１２が被せられた第１の枠部材１１１ａの、第２の枠部材１１１ｂとは反対側の端部に固定され、カバー１１２の移動を規制するキャップ１１３と、を備えたことを特徴とする。【選択図】図３
2015125171.tif 000002
【特許請求の範囲】
【請求項１】
矩形板形状の表札板と、該表札板を支持した支持体と、を有する表札において、
前記支持体が、
前記表札板の第１の辺に沿って延びる第１の枠部材と、前記第１の辺に直交する第２の辺に沿って延びる第２の枠部材と、前記第１の辺に対向する第３の辺に沿って延びる第３の枠部材と、からなり、これら３つの枠部材で前記表札板を３方から囲んで支持する支持枠であって、前記第１の枠部材に、前記表札板を枠内へと抜き差し自在に通すスリットが設けられ、該スリットから差し込まれた前記表札板を、前記第１の辺乃至その近傍が前記スリット内に収まった状態で前記表札板を支持する支持枠と、
前記第１の辺に沿って前記第２の枠部材へと向かう方向にスライドして、前記第１の枠部材の枠外側に被せられるカバーと、
前記カバーが被せられた前記第１の枠部材の、前記第２の枠部材とは反対側の端部に固定され、前記カバーの移動を規制するキャップと、
を備えたことを特徴とする表札。
【請求項２】
前記キャップが、前記第１の枠部材に、前記第３の枠部材側からネジ止めされていることを特徴とする請求項１記載の表札。
【請求項３】
前記カバーの前記第１の枠部材側に、前記第１の辺に向かって突出して該第１の辺を押圧する凸部が設けられていることを特徴とする請求項１又は２記載の表札。
【請求項４】
前記第３の枠部材に、前記第３の辺が当接し、該第３の辺を弾性を持って受け止める弾性部材が取り付けられていることを特徴とする請求項１から３のうちいずれか１項記載の表札。
【請求項５】
前記第３の枠部材に、前記第３の辺が嵌まり込む受け溝が設けられており、前記弾性部材が、前記受け溝の中に配置されていることを特徴とする請求項４記載の表札。
【請求項６】
前記第２の枠部材に、前記スリットから前記表札板が差し込まれるときに前記第２の辺に内部を移動させることで、該表札板を前記第３の枠部材へと案内する案内溝が設けられていることを特徴とする請求項１から５のうちいずれか１項記載の表札。
【請求項７】
前記第１の枠部材に、前記第３の枠部材の方向に光を発して前記表札板を照らす光源が取り付けられていることを特徴とする請求項１から６のうちいずれか１項記載の表札。
【発明の詳細な説明】
【技術分野】
【０００１】
本発明は、矩形板形状の表札板と、表札板を支持した支持体と、を有する表札に関するものである。
【背景技術】
【０００２】
従来、門柱等の支持体に矩形板形状の表札板を取り付けた表札が知られている（例えば、特許文献１〜３参照。）。このような表札の中に、例えば、次のような構造を有するものがある。
【０００３】
図６は、従来の表札の一例を示す図である。この図６に示されている表札５は、角柱状の門柱５１に矩形板形状の表札板５２を取り付けたものとなっている。表札板５２は、門柱５１において道路側を向く前面５１ａに、その四隅をネジ５３によってネジ止めされている。
【先行技術文献】
【特許文献】
【０００４】
【特許文献１】実公平７−５５２７１号公報
【特許文献２】特開２００６−２４１８７７号公報
【特許文献３】特開２００８−２８０７５５号公報
【発明の概要】
【発明が解決しようとする課題】
【０００５】
ここで、図６に示したように、表札板を門柱にネジ止めするタイプの表札では、その施工現場において、取り付ける表札に開けられている貫通孔に合わせて門柱にネジ孔を開ける必要が生じることが多く、このような作業が作業者の負担となっている。また、表札板が、施工主の所望の書体で彫刻を施す特注品等の場合、門柱の設置時に表札板が納品されているとは限らない。このような場合、門柱の設置後、表札板が納品されたときに、改めて上記のような孔開け作業を行う必要があり施工上の効率が低くなることがある。さらに、表札板については、施工主の好みで、後日に別の表札板に取り換えられることがある。しかしながら、図６に示したタイプの表札では、門柱に既に開けられているネジ孔によって、交換可能な表札が制限されることがある。このような事情に鑑み、表札板の取付けが簡単で、後日の表札板の交換の自由度も高い表札が求められている。
【０００６】
したがって、本発明は、表札板の取付けが簡単で、後日の表札板の交換の自由度も高い表札を提供することを目的とする。
【課題を解決するための手段】
【０００７】
上記課題を解決するために請求項１に記載の表札は、矩形板形状の表札板と、該表札板を支持した支持体と、を有する表札において、前記支持体が、前記表札板の第１の辺に沿って延びる第１の枠部材と、前記第１の辺に直交する第２の辺に沿って延びる第２の枠部材と、前記第１の辺に対向する第３の辺に沿って延びる第３の枠部材と、からなり、これら３つの枠部材で前記表札板を３方から囲んで支持する支持枠であって、前記第１の枠部材に、前記表札板を枠内へと抜き差し自在に通すスリットが設けられ、該スリットから差し込まれた前記表札板を、前記第１の辺乃至その近傍が前記スリット内に収まった状態で前記表札板を支持する支持枠と、前記第１の辺に沿って前記第２の枠部材へと向かう方向にスライドして、前記第１の枠部材の枠外側に被せられるカバーと、前記カバーが被せられた前記第１の枠部材の、前記第２の枠部材とは反対側の端部に固定され、前記カバーの移動を規制するキャップと、を備えたことを特徴とする。
【０００８】
請求項２に記載の表札は、請求項１記載の表札において、前記キャップが、前記第１の枠部材に、前記第３の枠部材側からネジ止めされていることを特徴とする。
【０００９】
請求項３に記載の表札は、請求項１又は２記載の表札において、前記カバーの前記第１の枠部材側に、前記第１の辺に向かって突出して該第１の辺を押圧する凸部が設けられていることを特徴とする。
【００１０】
請求項４に記載の表札は、請求項１から３のうちいずれか１項記載の表札において、前記第３の枠部材に、前記第３の辺が当接し、該第３の辺を弾性を持って受け止める弾性部材が取り付けられていることを特徴とする。
【００１１】
請求項５に記載の表札は、請求項４記載の表札において、前記第３の枠部材に、前記第３の辺が嵌まり込む受け溝が設けられており、前記弾性部材が、前記受け溝の中に配置されていることを特徴とする。
【００１２】
請求項６に記載の表札は、請求項１から５のうちいずれか１項記載の表札において、前記第２の枠部材に、前記スリットから前記表札板が差し込まれるときに前記第２の辺に内部を移動させることで、該表札板を前記第３の枠部材へと案内する案内溝が設けられていることを特徴とする。
【００１３】
請求項７に記載の表札は、請求項１から６のうちいずれか１項記載の表札において、前記第１の枠部材に、前記第３の枠部材の方向に光を発して前記表札板を照らす光源が取り付けられていることを特徴とする。
【発明の効果】
【００１４】
請求項１に記載された表札によれば、支持体への表札板の取付けは、スリットから表札板を差し込み、第１の枠部材にカバーをスライドして取り付け、最後にキャップを第１の枠部材に固定することで行われる。このような一連の作業では、表札板については、スリットから差し込むだけでよくネジ止め等の固定作業が不要となる。つまり、請求項１に記載された表札によれば、上述したような門柱（支持体）への孔開け作業が不要であり、施工における作業者の負担を軽減することができる。また、表札板はスリットから差し込むだけでよいことから、仮に表札板の納品が門柱（支持体）の施工後となったとしても、表札板の取付けを簡単に行うことができる。さらには、同様の理由により、表札板の交換も簡単に行うことができるため、図６を参照して説明したような交換上の制限を受けることがなく、表札板の交換の自由度も高い。つまり、請求項１に記載された表札は、表札板の取付けが簡単で、後日の表札板の交換の自由度も高い。
【００１５】
請求項２に記載された表札によれば、ネジは、キャップの第３の枠部材側つまり枠内側という、人の目に触れ難い場所に取り付けられる。その結果、請求項２に記載された表札は、例えば表札板の四隅等といった人の目に触れやすい位置にネジが現れず、表札板の見栄えについて向上されたものとなっている。
【００１６】
請求項３に記載された表札によれば、カバーに設けられた凸部で表札板の第１の辺を押圧することにより、表札板のガタつきを抑えることができる。
【００１７】
請求項４に記載された表札によれば、表札板を弾性部材で受け止めることにより、表札板のガタつきを抑えることができる。
【００１８】
請求項５に記載された表札によれば、弾性部材を、上記のような受け溝の中に配置することにより、表札板の弾性部材による受け止めの確実性を高めることができるので、表札板のガタつきを一層抑えることができる。
【００１９】
請求項６に記載された表札によれば、上記の案内溝を設けることにより、表札板のスリットから枠内への差込みが安定するので、一層簡単に施工できるものとなる。
【００２０】
請求項７に記載された表札によれば、カバーを被せられる第１の枠部材に光源が取り付けられるので、この光源がカバーで隠されて人の目に付き難くなる。これにより、表札全体の見栄えを損なうことなく、夜間でも表札板の視認性を高めることができる。
【図面の簡単な説明】
【００２１】
【図１】本発明の実施形態にかかる表札を示す斜視図である。
【図２】図１に示されている表札の、道路側を向いた前面、その前面側から見た左右の両側面、及び上面の平面図である。
【図３】図１及び図２に示されている表札の分解斜視図である。
【図４】図１及び図２に示されている表札の、図２中におけるＡ−Ａ切断線に沿った断面図である。
【図５】図３に示されている門柱（支持体）の門柱本体への支持枠の固定と、この支持枠へのキャップの固定とについて示す図である。
【図６】従来の表札の一例を示す図である。
【発明を実施するための形態】
【００２２】
本発明の実施形態にかかる表札を図１〜図５を参照して説明する。
【００２３】
図１は、本発明の実施形態にかかる表札を示す斜視図である。図２は、図１に示されている表札の、道路側を向いた前面、その前面側から見た左右の両側面、及び上面の平面図である。図１及び図２に示されている表札１は、角柱状の門柱１１（支持体）に矩形板形状の表札板１２を取り付けたものとなっている。図１には、この表札１を、道路側を向いて表札板１２に記載された名前１２ａが読める前面側から見た斜視図が示されている。
【００２４】
図１及び図２に示されているように、表札板１２は、３方向から囲まれて門柱１に支持されている。この門柱１は、表札を支持する支持構造として、以下に説明する構造を有している。
【００２５】
図３は、図１及び図２に示されている表札の分解斜視図である。この図３には、図１と同様に、表札１を前面側から見た図が示されている。この図３に示されているように、門柱１は、表札を支持する支持構造として、支持枠１１１と、カバー１１２と、キャップ１１３とを有している。
【００２６】
支持枠１１１は、表札板１２を３方から囲んで支持するものであり、表札板１２の４辺のうちの３辺それぞれに沿って延びる第１の枠部材１１１ａと、第２の枠部材１１１ｂと、第３の枠部材１１１ｃと、で構成されている。第１の枠部材１１１ａは、表札板１２の上辺１２１（第１の辺）に沿って延びる矩形板状の部材である。第２の枠部材１１１ｂは、表札板１２において図３にも示されている前面側から見たときの右辺１２２（第２の辺）に沿って延びる矩形板状の部材である。第３の枠部材１１１ｃは、表札板１２の下辺１２３（第３の辺）に沿って延びる矩形板状の部材である。
【００２７】
第１の枠部材１１１ａは、前面側から見たときの右端部が、２本のネジ１１１ｄによって第２の枠部材１１１ｂの上端に固定される。また、第３の枠部材１１１ｃは、前面側から見たときの右端部が、２本のネジ１１１ｄによって第２の枠部材１１１ｂの下端に固定される。このようにして、３つの枠部材１１１ａ，１１１ｂ，１１１ｃが、表札板１２を３方から囲む逆Ｃ字型に組まれて、支持枠１１１が構成される。
【００２８】
第１の枠部材１１１ａには、表札板１２を支持枠１１１の枠内へと矢印Ｄ１方向に抜き差し自在に通すスリット１１１ｅが、その長手方向に設けられている。また、第３の枠部材１１１ｃには、スリット１１１ｅから差し込まれた表札板１２の下辺１２３が嵌まり込む受け溝１１１ｆが、その長手方向に設けられている。さらに、第２の枠部材１１１ｂには、スリット１１１ｅの前面側から見たときの右端と、受け溝１１１ｆの前面側から見たときの右端とを繋ぎ、スリット１１１ｅから差し込まれる表札板１２を次のように案内する案内溝１１１ｇが設けられている。この案内溝１１１ｇは、表札板１２の右辺１２２に溝の内部を移動させることで、表札板１２を第３の枠部材１１１ｃの受け溝１１１ｆへと案内する。
【００２９】
カバー１１２は、表札板１２の上辺１２１に沿ったスライド方向（矢印Ｄ２方向）に、第２の枠部材１１１ｂへと向かってスライドして第１の枠部材１１１ａの枠外側に被せられる。尚、第１の枠部材１１１ａに一旦被せたカバー１１２を取り外すときには、第２の枠部材１１１ｂから離れるようにこのスライド方向（矢印Ｄ２方向）にスライドされる。このカバー１１２は、第１の枠部材１１１ａに被せられると、表札板１２の上辺１２１を第３の枠部材１１１ｃへと向かって次のように押圧する。
【００３０】
図４は、図１及び図２に示されている表札の、図２中におけるＡ−Ａ切断線に沿った断面図である。この図４に示されているように、第１の枠部材１１１ａの長手方向の両縁からは、カバー１１２を、図３に示されているスライド方向（矢印Ｄ２方向）に案内するスライドレール１１１ｈが突出している。そして、カバー１１２の、長手方向に延びる２つの側壁１１２ａの内面からは、スライドレール１１１ｈの下面に当接するスライド棚部１１２ｂが突出している。また、カバー１１２の、上壁１１２ｃの、第１の枠部材１１１ａ側を向いた内面からは、スリット１１１ｅに向かって突出した凸部１１２ｄが設けられている。
【００３１】
カバー１１２は、第１の枠部材１１１ａのスライドレール１１１ｈの下面にスライド棚部１１２ｂを当接させ、このスライド棚部１１２ｂで、スライドレール１１１ｈの下面を摺擦しつつ、図３に示されているスライド方向（矢印Ｄ２方向）にスライドされる。このとき、スライド棚部１１２ｂはスライドレール１１１ｈから下方（矢印Ｄ３方向に）に押圧力を受ける。この押圧力は、凸部１１２ｄを介して、スリット１１１ｅ内に収まった状態の表札板１２の上辺１２１に伝わる。即ち、凸部１１２ｄは、この上辺１２１を下方（矢印Ｄ３方向に）に押圧する役割を果たす。
【００３２】
ここで、第３の枠部材１１１ｃの受け溝１１１ｆの中には、表札板１２の下辺１２３（第３の辺）が当接し、この下辺１２３を弾性を持って受け止める弾性部材１１１ｉが取り付けられている。本実施形態では、カバー１１２の凸部１１２ｄからの押圧と、この弾性部材１１１ｉによる受止めとで、表札板１２が、ガタつきを抑えられて枠部材１１１の枠内に支持されることとなる。
【００３３】
また、第１の枠部材１１１ａには、枠内側に向かって光を発して表札板１２を照らすＬＥＤ光源１３が取り付けられている。本実施形態では、このＬＥＤ光源１３は、表札板１２の前面と背面とのそれぞれの側に１列づつ、合計で２列、各列について複数個ずつ配列されている。
【００３４】
ここで、図３に示されているように表札板１２がスリット１１１ｅから差し込まれた支持枠１１１は、門柱１１における門柱本体１１４に固定される。その後、上記のようにカバー１１２がスライドして取り付けられ、さらに、そのカバー１１２取付後の支持枠１１１にキャップ１１３が固定される。
【００３５】
図５は、図３に示されている門柱（支持体）の門柱本体への支持枠の固定と、この支持枠へのキャップの固定とについて示す図である。この図５にも、図１や図３と同様に、表札１を前面側から見た図が示されている。
【００３６】
まず、門柱本体１１４への支持枠１１１の固定は次のように行われる。門柱本体１１４は、図３にも示されているように、表札１を前面側から見たときの右側の側壁が上方へと延びて、支持枠１１１を受け入れる受けレール１１４ａとなっている。この受けレール１１４ａは、支持枠１１１における第２の枠部材１１１ｂの長手方向の一対の側縁が嵌め込まれる一対の支持枠用受け溝１１４ｂを有している。上記のように表札板１２が差し込まれた支持枠１１１は、受けレール１１４ａの支持枠用受け溝１１４ｂに第２の枠部材１１１ｂの側縁が嵌め込まれて、矢印Ｄ４方向にスライドして門柱本体１１４に取り付けられる。
【００３７】
ここで、門柱本体１１４における受けレール１１４ａ以外の部分は角筒となっている。そして、支持枠１１１における第３の枠部材１１１ｃは、この角筒の内部に嵌まり込む本体部１１１ｊと、矢印Ｄ４方向に直交する方向にこの本体部１１１ｊよりも若干広がったフランジ部１１１ｋと、を有している。支持枠１１１は、第３の枠部材１１１ｃの本体部１１１ｊが角筒の内部に嵌まり、フランジ部１１１ｋが角筒の上縁に当接するまで矢印Ｄ４方向にスライドされる。そして、このフランジ部１１１ｋの当接後、表札１を前面側から見たときの右側から１本のネジ１１１ｍによって第３の枠部材１１１ｃの本体部１１１ｊが門柱本体１１４に固定される。ここで、本実施形態では、この門柱本体１１４の、表札１を前面側から見たときの左側の側壁１１４ｃが、矢印Ｄ５で示した上下方向にスライド可能となっている。第３の枠部材１１１ｃの本体部１１１ｊのネジ止め時には、この側壁１１４ｃが下げられて、門柱本体１１４内部のネジ止め箇所１１４ｄが露わとなる。そして、ネジ止め終了後にこの側壁１１４ｃが上げられて、図１や図２に示されている表札１の完成状態では、このネジ止め箇所は側壁１１４ｃに覆われて見えなくなる。
【００３８】
また、支持枠１１１の固定は、受けレール１１４ａに対しても行われる。本実施形態では、支持枠１１１の第１の枠部材１１１ａにおける、表札１を前面側から見たときの右側の端部が、受けレール１１４ａの上縁に１本のネジ１１１ｎによってネジ止めされる。
【００３９】
このように合計で２本のネジ１１１ｍ，１１１ｎによって支持枠１１１が門柱本体１１４に固定されると、カバー１１２が、第１の枠部材１１１ａに上記のように被せられる。第１の枠部材１１１ａについての上記のネジ止め箇所は、このカバー１１２によって覆われて見えなくなる。
【００４０】
カバー１１２の取付けに続いて、キャップ１１３の固定が行われる。このキャップ１１３は、キャップ本体１１３ａと、フランジ部１１３ｂと、を有している。キャップ本体１１３ａは、支持枠１１１における第１の枠部材１１１ａに取り付けられたカバー１１２の内側に入り込むとともに、第１の枠部材１１１ａにおける表札１を前面側から見たときの左端に重なる。フランジ部１１３ｂは、キャップ１１３の、表札１を前面側から見たときの左側の側壁をなし、カバーのスライド方向（矢印Ｄ２方向）と直交する方向に、キャップ本体１１３ａよりも若干広がったものとなっている。
【００４１】
キャップ１１３は、キャップ本体１１３ａが第１の枠部材１１１ａにおける表札１を前面側から見たときの左端に重なるようにカバー１１２に嵌め込まれる。この嵌め込みは、フランジ部１１３ｂが、カバー１１２における表札１を前面側から見たときの左縁に当接する位置で止まる。そして、このフランジ部１１３ｂの当接後、キャップ本体１１３ａが、第１の枠部材１１１ａに、第３の枠部材１１１ｃ側から２本のネジ１１１ｏによってネジ止めされる。キャップ本体１１３ａがこのように固定されたキャップ１１３のフランジ部１１３ｂは、第１の枠部材１１１ａに被せられたカバー１１２の移動を規制する押えの役割を果たす。
【００４２】
以上に説明したキャップ１１３の固定をもって、本実施形態の表札１は完成する。尚、ここまでの説明では、支持枠１１１の門柱本体１１４への固定が、支持枠１１１への表札板１２の差込み後に行われることとなっている。しかしながら、表札板１２の差込みは、支持枠１１１の門柱本体１１４への固定後に行われてもよい。また、表札１の施工時に表札板１２が未納である場合には、次のような手順で施工してもよい。
【００４３】
表札板１２が未納である場合、まず、表札板１２無しの支持枠１１１のみを門柱本体１１４に固定し、その支持枠１１１にカバー１１２及びキャップ１１３を取り付けておく。そして、表札板１２が納品されたときに、キャップ１１３を固定する２本のネジ１１１ｏを取り外してキャップ１１３とカバー１１２を外し、露わとなったスリット１１１ｅから表札板１２を差し込む。その後、カバー１１２とキャップ１１３とを取り付けて表札１が完成することとなる。
【００４４】
また、後日に表札板１２を別の表札板１２と交換する場合には、その交換は、次のような手順で行われる。キャップ１１３を固定する２本のネジ１１１ｏを取り外してキャップ１１３とカバー１１２を外し、露わとなったスリット１１１ｅから、既に取り付けられている表札板１２を引き抜く。そして、新たな表札板１２をスリット１１１ｅから差し込む。その後、カバー１１２とキャップ１１３とを取り付けて交換が完了することとなる。
【００４５】
このように、本実施形態の表札１によれば、門柱１１への表札板１２の取付けは、スリット１１１ｅから表札板１２を差し込み、第１の枠部材１１１ａにカバー１１２をスライドして取り付け、最後にキャップ１１３を第１の枠部材１１１ａに固定することで行われる。このような一連の作業では、表札板１２については、スリット１１１ｅから差し込むだけでよくネジ止め等の固定作業が不要となる。つまり、本実施形態の表札１によれば、図６を参照して説明した従来の表札５のような門柱への孔開け作業が不要であり、施工における作業者の負担を軽減することができる。また、表札板１２はスリット１１１ｅから差し込むだけでよいことから、仮に表札板１２の納品が門柱１１の施工後となったとしても、表札板１２の取付けを簡単に行うことができる。さらには、同様の理由により、表札板１２の交換も簡単に行うことができるため、図６を参照して説明したような交換上の制限を受けることがなく、表札板１２の交換の自由度も高い。つまり、本実施形態の表札１は、表札板１２の取付けが簡単で、後日の表札板１２の交換の自由度も高い。
【００４６】
また、本実施形態の表札１では、外部からのアクセスのために露出しているネジは、キャップ１１３の固定用のネジ１１１ｏのみである。そして、このネジ１１１ｏは、キャップ１１３の第３の枠部材１１１ｃ側つまり枠内側という、人の目に触れ難い場所に取り付けられる。その結果、本実施形態の表札１は、例えば表札板１２の四隅等といった人の目に触れやすい位置にネジが現れず、表札板１２の見栄えについて向上されたものとなっている。
【００４７】
また、本実施形態の表札１では、カバー１１２に設けられた凸部１１２ｄで表札板１２の上辺１２１を押圧することにより、表札板１２のガタつきが抑えられている。
【００４８】
また、本実施形態の表札１では、表札板１２を弾性部材１１１ｉで受け止めることによっても、表札板１２のガタつきが抑えられている。
【００４９】
さらに、本実施形態の表札１では、弾性部材１１１ｉが、表札板１２の下辺１２３が嵌まり込む受け溝１１１ｆの中に配置されている。これにより、表札板１２の弾性部材１１１ｉによる受け止めの確実性が高められており、表札板１２のガタつきが一層抑えられている。
【００５０】
また、本実施形態の表札１は、表札板１２の右辺１２２が嵌まり込む案内溝１１１ｇを設けることにより、表札板１２のスリット１１１ｅから枠内への差込みが安定するので、一層簡単に施工できるものとなっている。
【００５１】
また、本実施形態の表札１では、カバー１１２を被せられる第１の枠部材１１１ａに光源１３が取り付けられるので、この光源１３がカバー１１２で隠されて人の目に付き難くなる。これにより、表札１全体の見栄えを損なうことなく、夜間でも表札板１２の視認性を高めることができる。
【００５２】
尚、前述した実施形態は本発明の代表的な形態を示したに過ぎず、本発明は、この実施形態に限定されるものではない。即ち、当業者は、従来公知の知見に従い、本発明の骨子を逸脱しない範囲で種々変形して実施することができる。かかる変形によってもなお本発明の表札の構成を具備する限り、勿論、本発明の範疇に含まれるものである。
【００５３】
例えば、上記の実施形態では、本発明にいう表札の一実施形態として、支持体の一例としての門柱１１に表札板１２のみが取り付けられた形態が例示されているが、本発明にいう表札はこの形態に限るものではない。本発明にいう表札は、例えば門柱などの支持体に、ドアホンや新聞受け等といった表札以外の機能部品が取り付けられた形態のものであってもよい。
【００５４】
また、上記の実施形態では、本発明にいう支持体の一例として、門柱１１が例示されているが、本発明にいう支持体はこれに限るものではない。本発明にいう支持体は、例えば住宅を囲む外塀等であってもよい。支持体をこのような外塀とする形態では、外塀において人の出入り口として切れている部分の上隅等に上記の支持枠を取り付け、その支持枠に表札板を支持させることとなる。
【００５５】
また、上記の実施形態では、本発明にいう支持枠の一例として、表札板１２を前面側から見たときの上辺１２１に沿って延びる第１の枠部材１１１ａ、右辺１２２に沿って延びる第２の枠部材１１１ｂ、及び下辺１２３に沿って延びる第３の枠部材１１１ｃからなる支持枠１１１が例示されているが、本発明にいう支持枠はこれに限るものではない。本発明にいう支持枠は、例えば、表札板の左辺に沿って延びる枠部材、下辺に沿って延びる枠部材、及び右辺に沿って延びる枠部材からなるものであってもよい。このように、本発明にいう支持枠は、表札板を３方から囲んで支持するものであれば、各枠部材が具体的に表札板のどの辺に沿っているかは問うものではない。
【００５６】
また、本実施形態では、本発明にいう支持枠の一例として、３つの枠部材１１１ａ，１１１ｂ，１１１ｃがネジ止めによって逆Ｃ字型に組まれて構成された支持枠１１１が例示されているが、本発明にいう支持枠はこれに限るものではない。本発明にいう支持枠は、例えば樹脂成型や、あるいはインモールド成形等によってこのような形状に一体的に形成されたもの等であってもよい。
【００５７】
また、本実施形態では、本発明にいう支持枠の一例として、表札板１２の上辺１２１（第１の辺）がスリット１１１ｅ内に収まった状態となる支持枠１１１が例示されているが、本発明にいう支持枠はこれに限るものではない。本発明にいう支持枠は、表札板の第１の辺がスリットから枠外に出て、第１の辺の近傍がスリット内に収まった状態となるものであってもよい。この場合、カバーに設けられる凸部は、この枠外に出た第１の辺を押圧することとなる。
【００５８】
また、本実施形態では、本発明にいう光源の一例として、表札板１２の前面と背面とのそれぞれの側に配列されたＬＥＤ光源１３が例示されているが、本発明にいう光源はこれに限るものではない。本発明にいう光源は、例えば、表札板１２の前面と背面との何れか一方の側にのみ配列されたものであってもよい。また、その列数についても、前面と背面とのそれぞれの側、あるいは何れか一方の側に複数列配列してもよい。
【符号の説明】
【００５９】
１      表札
１１    門柱（支持体）
１２    表札板
１３    ＬＥＤ光源
１１１  支持枠
１１１ａ  第１の枠部材
１１１ｂ  第２の枠部材
１１１ｃ  第３の枠部材
１１１ｅ  スリット
１１１ｆ  受け溝
１１１ｇ  案内溝
１１１ｉ  弾性部材
１１２  カバー
１１３  キャップ
１２１  上辺（第１の辺）
１２２  右辺（第２の辺）
１２３  下辺（第３の辺）
【図１】
2015125171.tif 000003
【図２】
2015125171.tif 000004
【図３】
2015125171.tif 000005
【図４】
2015125171.tif 000006
【図５】
2015125171.tif 000007
【図６】
2015125171.tif 000008